(57)【要約】      （修正有）【課題】利用者に負担をかけることなく多数の生体情報（指静脈パターン）を登録することができ、かつ登録時の姿勢と認証時の姿勢の違いによる認証エラーの発生を減少させ、認証精度を向上させる。【解決手段】生体情報読取ユニット３０を、生体が設置される生体接触部３１と、生体接触部３１に設置された生体の画像を撮影する撮影部と、生体接触部３１を動作させる駆動装置４０と、撮影された生体の画像を画像処理する処理装置とで構成し、駆動装置４０は、生体接触部３１を、生体接触部３１の設置面を基準として上下方向および左右方向へ動作させ、撮影部は、生体接触部３１の動作方向に合わせて複数の画像を撮影し、処理装置は、複数の画像をそれぞれ照合用の生体情報として登録するための処理を実行し、処理装置により処理された複数の画像を、情報読取書込装置５０に挿入された記録媒体にそれぞれ照合用の生体情報として記録する。【選択図】図１
2008250601.tif 000002
【特許請求の範囲】
【請求項１】
生体情報を取得するとともに、取得した生体情報を処理する生体情報読取ユニットと、前記生体情報の書き込みや読み取りを行う情報読取書込装置とを備えた生体情報読取装置において、
前記生体情報読取ユニットは、生体が設置される生体接触部と、前記生体接触部に設置された生体の画像を撮影する撮影部と、前記生体接触部を動作させる駆動装置と、撮影された生体の画像を画像処理する処理装置を備え、
前記駆動装置は、前記生体接触部を、前記生体接触部の設置面を基準として上下方向および左右方向へ動作させ、
前記撮影部は、前記生体接触部の動作方向に合わせて複数の画像を撮影し、
前記処理装置は、前記複数の画像をそれぞれ照合用の生体情報として登録するための処理を実行し、
前記処理装置により処理された前記複数の画像を、前記情報読取書込装置に挿入された記録媒体にそれぞれ照合用の生体情報として記録する
ことを特徴とする生体情報読取装置。
【請求項２】
請求項１に記載の生体情報読取装置において、
前記駆動装置は、さらに前記生体接触部を、前記生体接触部の設置面を基準として水平方向へ動作させる
ことを特徴とする生体情報読取装置。
【請求項３】
請求項１に記載の生体情報読取装置において、
前記撮影部は、前記生体接触部に設置された生体の画像を撮影するための光源と光学ユニットとを備え、
前記駆動装置は、前記光学ユニットを、前記生体接触部の設置面を基準として上下方向および左右方向へ動作させる
ことを特徴とする生体情報読取装置。
【請求項４】
請求項３に記載の生体情報読取装置において、
前記駆動装置は、さらに前記光学ユニットを、前記生体接触部の設置面を基準として水平方向へ動作させる
ことを特徴とする生体情報読取装置。
【請求項５】
情報処理装置と、生体情報読取装置とを備えた生体情報読取システムにおいて、
前記情報処理装置は、前記生体情報読取システムを統括的に制御する制御装置を備え、
前記生体情報読取装置は、生体情報を取得するとともに、取得した生体情報を処理する生体情報読取ユニットと、前記生体情報の書き込みや読み取りを行う情報読取書込装置とを備え、
前記生体情報読取ユニットは、生体が設置される生体接触部と、前記生体接触部に設置された生体の画像を撮影する撮影部と、前記生体接触部を動作させる駆動装置と、撮影された生体の画像を画像処理する処理装置とを備え、
前記駆動装置は、前記制御部からの動作信号を受け付けると、前記生体接触部を、前記生体接触部の設置面を基準として上下方向および左右方向へ動作させ、
前記撮影部は、前記生体接触部の動作方向に合わせて複数の画像を撮影し、
前記処理装置は、前記複数の画像をそれぞれ照合用の生体情報として登録するための処理を実行し、
前記処理装置により処理された前記複数の画像を、前記情報読取書込装置に挿入された記録媒体にそれぞれ照合用の生体情報として記録する
ことを特徴とする生体情報登録システム。
【請求項６】
請求項５に記載の生体情報登録システムにおいて、
前記撮影部は、前記生体接触部に設置された生体の画像を撮影するための光源と光学ユニットとを備え、
前記駆動装置は、前記光学ユニットを、前記生体接触部の設置面を基準として上下方向および左右方向へ動作させる
ことを特徴とする生体情報読取システム。
【請求項７】
請求項５および請求項６に記載の生体情報読取システムにおいて、
前記生体情報登録システムは、表示装置を備え、
前記表示装置には、生体登録画面と、撮影操作画面と、撮影終了画面と、登録終了画面とが表示され、
前記各画面には、その上端に係員の操作に対するガイダンスと、利用者の動作を誘導するガイダンスを表示するガイダンス表示エリアが配置されている
ことを特徴とする生体情報登録システム。
【発明の詳細な説明】
【技術分野】
【０００１】
本発明は、生体情報を用いて生体認証を行う生体情報読取装置および生体情報読取システムに関するものであり、特に、指の血管パターンを用いた生体認証を行う際の、照合用の血管パターンの登録手段に関する。
【背景技術】
【０００２】
例えば、銀行の窓口で行う金融取引においては、印鑑と通帳による本人確認（個人認証）が従来から行なわれている。また、ＡＴＭ等の自動取引装置においては、キャッシュカードや暗証番号等による本人確認（個人認証）が従来から行なわれている。しかしながら、昨今、ＡＴＭ等の自動取引装置の利用時における暗証番号の覗き見や盗撮により個人情報が盗まれ、盗まれた個人情報による不正取引が増加傾向にある。
【０００３】
このため、近年、個人情報に対するセキュリティが重要視されており、指紋や虹彩、顔、手の甲の静脈、指静脈などの生体情報を用いた生体認証により、個人情報を保護する技術が注目されており、生体情報を用いた個人認証の代表的なものとして、指紋を用いた認証装置が知られている（従来例１）。
【０００４】
上記従来例１においては、小型の装置における認証範囲を広げるため、照合用指紋データの登録時には、光学ユニットを左右方向に動かして指置き部に置かれた指の指紋画像を複数枚撮影し、撮影した複数枚の指紋画像を合成することにより、予め登録される認証範囲の広い照合用指紋データを取得している。そして、個人認証時においては、認証時に取得した認証用指紋データと予め登録された照合用指紋データとを照合することで、個人認証を行うようになっている。このような構成とすることにより、照合用指紋データと認証用指紋データとの一致する面積割合が小さくならず、照合性能を低下させないようにしている。
【０００５】
上記従来例１では、指紋の登録時および認証時において、指紋が読み取れるように、一本の指を指置き部へ接触させればよいので、比較的容易に登録や認証を行うことができる。しかしながら、指紋認証においては、例えば、指を置いた部分に指紋が残ってしまうことから、第三者により指紋を複製されてしまう可能性もあることが言われている。そこで、指紋認証に代えて、指の血管パターンを用いた認証装置（従来例２）が注目されている。
【０００６】
上記従来例２においては、個人認証時に光学ユニットを回転させることにより、指の全周囲画像を取得し、取得した全周囲画像と予め登録された血管パターンとを照合することで、個人認証を行うようになっている。このような構成とすることにより、限られた測定部位から多くのパターンを取得することができ、信頼性の高い個人認証を可能としている。
【０００７】
【特許文献１】特開２００６−１９７９８１号公報
【特許文献２】特開２００３−３３１２７２号公報
【発明の開示】
【発明が解決しようとする課題】
【０００８】
上記従来例２では、個人認証時に指の全周囲画像を取得しているものの、予め登録しておく照合用の血管パターン（指静脈パターン）を取得することについては、具体的に開示されていない。
【０００９】
照合用の生体情報を登録する場合、例えば、生体情報として指静脈パターンを登録する場合には、図１７（ａ）で示すように、顧客が銀行の窓口へ出向き、椅子に座った状態で係員の指示に従い、高さＨ１の位置に設置された生体情報処理装置の高さＨ２の位置にある指静脈ユニットの指置き部３１へ、図１７（ｂ）で示すように、指を置いたり、指を離したりすることを繰り返すことにより、１本の指から複数個の指静脈パターンを取得する。そして、取得した複数個の指静脈パターンの中から最も良い指静脈パターンを選択し、選択した指静脈パターンをカードリーダ／ライタに挿入された、例えば、ＩＣチップ付きのキャッシュカード等のＩＣカードへ登録するようになっている。
【００１０】
指静脈パターンを取得する際には、図１７（ｂ）で示すように、特定の領域、例えば、指の第１関節から第３関節までの領域における指静脈パターンを取得することが望ましい。このため、指静脈パターンの登録時および認証時には、登録する指および認証を行う指を、その両側の指で支持するように指静脈ユニットの指置き部に置いた状態、つまり、三本の指でバランスをとりながら指置き部に指を置き、特定領域における指静脈パターンを取得するようになっている。
【００１１】
一方、登録した指静脈パターンにより生体認証を行う際には、例えば、図１８（ａ）で示すように、高さＨ３の位置に指認証ユニットが配置されたＡＴＭ等の自動取引装置の前に立った姿勢で指置き部に指を置き、生体認証を行う場合が多い。つまり、登録時の姿勢（座った姿勢）と認証時の姿勢（立った姿勢）の違いにより、三本の指のバランスが崩れ、高さＨ３の位置で取得した認証用の指静脈パターンと、高さＨ１の位置で予め登録された照合用の指静脈パターンとを照合する際、高さＨ３の位置で指置き部３１に置かれた指が、図１８（ｂ）で示すように左右方向（矢印Ｂの方向）へずれたり、図１８（ｃ）で示すように上下方向（矢印Ａの方向）にずれたり、あるいは指が曲がった状態（回転した状態）になったりする場合がある。
【００１２】
また、図１９で示すように、正面右側に指認証ユニットが配置されたＡＴＭ等の自動取引装置が壁際へ設置されている場合、この自動取引装置により個人認証を行う際には、指を曲げた状態（回転した状態）で指認証ユニットの指置き部３１に指を置かなければならない可能性が高い。このため、認証用の指静脈パターンと照合用の指静脈パターンとを照合する際に、大きな誤差が生じる場合があり、個人認証に時間がかかってしまったり、認証エラーが発生する場合がある。
【００１３】
そこで、本発明は、利用者に負担をかけることなく多数の生体情報（指静脈パターン）を登録することができ、かつ生体情報の登録時の姿勢（座った姿勢）と認証時の姿勢（立った姿勢）の違いによる認証エラーの発生を減少させ、生体情報の認証精度を更に向上させることを目的とする。
【課題を解決するための手段】
【００１４】
上記目的を達成するため、本発明に係る生体情報処理装置は、生体情報の読み取りを行なう読取装置と、前記読取装置により読み込まれた生体情報を処理する処理装置と、情報読取書込装置とを備えた生体情報処理装置において、前記読取装置は、生体が設置される生体接触部と、前記生体接触部に設置された生体の画像を撮影する撮影部と、前記生体接触部を複数の方向に動作させる駆動装置とを備え、前記撮影部は、前記生体接触部の動作方向に合わせて複数の画像を撮影し、前記処理装置は、前記複数の画像をそれぞれ照合用の認証データとして登録するための処理を実行し、前記処理装置により処理された前記複数の画像を、前記情報読取書込装置に挿入された記録媒体にそれぞれ照合用の生体情報として記録するようにする。
【００１５】
また、上記目的を達成するため、本発明に係る生体情報処理システムは、生体情報の読み取りを行う読取装置と、前記読取装置により読み込まれた生体情報を処理する処理装置と、情報読取書込装置とを備えた生体情報処理装置において、前記読取装置は、生体が設置される生体接触部と、前記生体接触部に設置された生体の画像を撮影するための光源と光学ユニットとを有する撮影部と、前記光学ユニットを複数の方向に動作させる駆動装置とを備え、前記撮影部は、前記光学ユニットの動作方向に合わせて複数の画像を撮影し、
前記処理装置は、前記複数の画像をそれぞれ照合用の認証データとして登録するための処理を実行し、前記処理装置により処理された前記複数の画像を、前記情報読取書込装置に挿入された記録媒体にそれぞれ照合用の生体情報として記録するようにする。
【発明の効果】
【００１６】
本発明によれば、生体情報の認証時において、認証エラーが発生する可能性のある生体情報を、利用者に負担をかけることなく事前に登録することができるので、姿勢の違いによる認証エラーの発生を減少させ、生体情報の認証精度を更に向上させることができる。
【発明を実施するための最良の形態】
【００１７】
以下、図１から図１６を参照して、本発明の実施形態について説明する。ここで、図１から図８が第１の実施形態を示し、図９から図１３が第２の実施形態を示し、図１４から図１６が第３の実施形態を示している。なお、同一の部位や方向などは同一符号を持って示し、重複した説明を省略する。また、各実施形態においては、生体情報の一例として、指静脈パターンを図形情報として取得して認証を行う指静脈認証方式を採用した生体認証装置を採用した場合について説明する。
（第１の実施の形態）
図１から図６を参照して、第１の実施形態にかかる生体情報読取装置および生体情報読取方法について説明する。図１は、第１の実施形態にかかる生体情報読取システム全体を示すシステム構成図である。図２は、第１の実施形態に係る生体情報読取システムの装置ブロック図である。図３は、第１の実施形態に係る生体情報読取装置における指静脈ユニットの動作状態を示す図であり、図３（ａ）が外観図、図３（ｂ）が上下方向の動作状態を示す図、図３（ｃ）が左右方向の動作状態を示す図である。図４は、第１の実施形態に係る生体情報読取装置の使用状態を示す図であり、図４（ａ）が指静脈ユニットに置かれた指を左右方向に動かした状態を示す図、図４（ｂ）が指静脈ユニットに置かれた指を上下方向に動かした状態を示す図である。図５は、第１の実施形態に係る生体情報読取システムの動作フロー図である。図６は、第１の実施形態に係る生体情報読取システムの動作中の画面を示す図である。
【００１８】
まず、図１を参照して、第１の実施形態にかかる生体情報読取システムの概略構成を説明する。図１において、この生体情報読取システムは、情報処理装置１と、この情報処理装置１とコードを介して接続される生体情報読取装置１０とから構成されている。
【００１９】
情報処理装置１は、主に生体情報の登録作業や認証作業を行うものであり、制御部や記部などを備えた情報処理装置本体２と、この情報処理装置本体２に接続される表示装置３と、キーボード４ａやマウス４ｂ等の入力装置４を含んで構成される。また、表示装置3は、タッチパネル式の表示画面３ａを備えている。
【００２０】
生体情報読取装置１０は、主に利用者が生体情報の登録や、生体認証を行う際に使用するものであり、情報読取装置本体２０と、生体情報の読み取りを行う生体情報読取ユニット（指静脈ユニット３０）と、指静脈ユニット３０を駆動させる駆動装置４０と、ＩＣカード等の携帯型記録媒体に記録された個人情報の読み取りや、ＩＣカード等の携帯型記録媒体に登録する指静脈パターンの書き込みを行うカードリーダ／ライタ５０とを備えている。
【００２１】
情報読取装置本体２０は、カードリーダ／ライタ５０に対して、ＩＣカード等の携帯型記録媒体の出し入れを行う媒体口２１と、暗証番号等の入力を行うテンキーを覆うテンキーカバー２２と、本人確認を行うカメラ部２３とを備えている。
【００２２】
この生体情報読取システムの大きな特徴は、照合用の指静脈パターンを取得する際に、指が置かれた指静脈ユニット３０を動かして、生体認証時に認証エラーが起こりうる可能性のある複数の指姿勢の画像を撮影し、この複数の指姿勢の画像を照合用の指静脈パターンとして記録（登録）する点にある。具体的には、照合用の指静脈パターンを取得する際に、指静脈ユニット３０の指置き部３１を駆動装置４０により上下方向や左右方向へ動かすことにより、複数の指姿勢、例えば、指の先端や根元が浮いた状態の指静脈パターンや、左右に回転した状態の指静脈パターンを取得し、取得した指静脈パターン画像を画像処理し、照合用の指静脈パターンとしてＩＣカード等の携帯型記録媒体に登録する点に特徴がある。
【００２３】
このような構成とすることにより、生体認証時に指認証ユニットで取得した認証用の指静脈パターンと、予め登録された照合用の指静脈パターンとの照合時における誤差を小さくすることができるので、生体認証をスムーズに行うことができる。
【００２４】
次に、図２を参照して、第１の実施形態にかかる生体情報読取システムの装置構成について説明する。
【００２５】
図２において、指認証ユニット３０は、登録する指を置く指置き部３１と、指置き部３１に置かれた指の静脈パターンを撮影する撮影部３２と、指置き部３１に指が置かれたか否かを検知するセンサ（図示省略）と、撮影部３２で撮影された指静脈パターン画像の画像処理や、画像処理された指静脈パターンの登録、登録された指静脈パターンと認証用の指静脈パターンとの照合等を行う認証処理部３３と、指置き部３１を駆動させるモーター３４と、撮影部３２で撮影された指静脈パターン画像を保存する画像キャプチャーボード３５を備えている。また、撮影部３２は、光学フィルタ３２１と、ＣＣＤカメラ３２２やミラー（図示省略）等からなる光学ユニットと、指置き部３１に置かれた指に対して、光学フィルタ３２１を介して光を照射する光源３２３とを備えている。
【００２６】
認証処理部３３は、照合用の指静脈パターンや、生体認証時に読み取った認証用の指静脈パターンを保存するメモリ２０１と、指認証ユニット３０の全体を制御するＣＰＵ２０２と、各装置を接続するためのインタフェース（Ｉ／Ｆ）２０３を備えている。また、認証処理部３３には、外部サーバ等の外部記憶装置２１０やカードリーダ／ライタ５０、情報処理装置本体２が接続されている。
【００２７】
モーター３４は、指静脈ユニット３０の指置き部３１を動かす駆動装置４０を構成するものであり、モーター３４は、情報処理装置本体２の制御部９により、指置き部３１を上下方向あるいは左右方向へ回転させるように制御される。
【００２８】
情報処理装置本体２は、各種の情報格納する記憶部６と、各種の情報を表示する表示部３と、ネットワークと接続するための通信部７と、キーボード４ａやマウス４ｂとで構成される入力部４と、この情報処理装置２を統括的に制御する制御部９と、各装置を接続するためのインタフェース（Ｉ／Ｆ）２５０とを含んで構成される。
【００２９】
この生体情報読取システムは、指置き部３１に指が置かれたことをセンサで検知すると、撮影部３２を介して指静脈パターンを撮影し、撮影した指静脈パターンの画像を画像キャプチャーボード３５に保存する。そして、ＣＰＵ２０２により指静脈画像の登録操作が指示されると、画像キャプチャーボード３５に保存された指静脈パターンの画像がインタフェース２０３を介して認証処理部３３に送られるとともに画像処理が行なわれ、照合用の指静脈パターンとしてメモリ２０１に記録されるようになっている。メモリ２０１に記録された照合用の指静脈パターンは、インタフェース２０３を介してカードリーダ／ライタ５０に挿入されたＩＣカードに記録することができるようになっている。なお、照合用の指静脈パターンは、例えば、銀行に設置されるサーバ等の外部記憶装置２１０に記録するようにしてもよい。
【００３０】
次に、図３を参照して、第１の実施形態にかかる生体情報読取システムにおける読取装置の動作について説明する。
【００３１】
図３（ａ）において、指置き部３１は、その短手方向の延長軸線Ｐ１および長手方向の延長軸線Ｑ１に沿って、モーター３４を介して上下方向（矢印Ａの方向）および左右方向（矢印Ｂの方向）へ回転するように、制御部９で制御される。具体的には、図３（ｂ）で示すように、上下方向への回転は、回転軸Ｐを中心としてモーター３４により指置き部３１を矢印Ａの方向へ回転するように制御部９で制御される構成となっている。また、図３（ｃ）で示すように、左右方向への回転は回転軸Ｑを中心としてモーター３４により指置き部３１を矢印Ｂの方向へ回転させるように制御部９で制御される構成となっている。
このような構成とすることにより、指認証ユニット３０に指を置いた利用者が指を動かすことなく、指の先端や根元が浮いた状態の指静脈パターン画像、左右に回転した状態の指静脈パターン画像等を取得することができる。なお、この実施形態では、指置き部３１の回転方向を、生体情報読取装置１０の正面（媒体口２１が配置された面）を基準として特定している。
【００３２】
次に、図４から図６を参照して、照合用の認証データである指静脈パターンの登録動作について説明する。
【００３３】
まず、指静脈パターンを登録する利用者は、係員に指示に従って、ＩＣカードを媒体口２１からカードリーダ／ライタ５０に挿入し（ステップ５０１）、テンキーカバー２２を開けてテンキーにより暗証番号を入力してＩＣカードの読み込みを行う。
【００３４】
ＩＣカードの読み込みが完了すると、係員は表示装置３に表示される図６（ａ）で示すような指登録画面６０を見ながら、利用者に対して登録する指について口頭で質問する（ステップ５０２）。利用者は、係員からの質問に対して登録する指を決定し、決定した指を係員に口頭で伝える（ステップ５０３）。係員は、利用者からの回答に基づき、登録する指を読取装置３０へ置くように利用者へ口頭で伝え（ステップ５０４）、利用者は係員の指示に従って読取装置３０に登録する指を置く（ステップ５０５）。
【００３５】
係員は、指静脈ユニット３０の指置き部３１に指が置かれたことを確認すると、表示装置３の表示画面３ａに表示された図６（ｂ）で示すような撮影操作画面６２の撮影ボタンを操作するとともに（ステップ５０６）、利用者に対して正面の指静脈パターン画像の撮影中であることを口頭で伝える（ステップ５０７）。
【００３６】
正面の指静脈パターン画像の撮影が終了すると、係員は表示画面３ａに表示される図６（ｃ）で示すような撮影操作画面６２を見ながら、利用者に対して指の回転画像を撮影することを伝えると共に、指認証ユニット３０（指置き部３１）が動くことを伝える（ステップ５０８）。そして、撮影操作画面６２に表示された撮影ボタンを操作することにより（ステップ５０９）、図４で示すように、指が置かれた指置き部３１を、上下方向（矢印Ａの方向）および左右方向（矢印Ｂの方向）に動かし、登録する指の回転画像を撮影する（ステップ５１０）。この時、表示装置３の表示装置３ａには、図６（ｄ）および図６（ｅ）で示すような撮影操作画面６２が、撮影姿勢に合わせて表示されるようになっている。
【００３７】
ステップ５１１において、係員は照合用の指静脈パターンの登録に必要な指静脈パターン画像が全て撮影されたことを確認すると、利用者に対して撮影が終了したことを伝えるとともに、指認証ユニット３０から指を離すように伝え、利用者は係員の指示に従って指認証ユニット３０から指を離す（ステップ５１２）。係員は、利用者が指静脈ユニット３０から指を離したことを確認すると、表示装置３の表示画面３ａに表示される図６（ｆ）で示すような撮影終了画面６３を見ながら、カード書き込みボタン６４を操作して（ステップ５１３）、照合用の指静脈パターンの書き込み作業に入る（ステップ５１４）。
【００３８】
指静脈パターンの書き込みが終了したら、係員は表示装置３の表示画面３ａに表示される図６（ｇ）で示すような終了画面６５を見ながら、利用者に対しての書き込み（登録）が終了したこと、およびＩＣカードを取るように伝える。そして、利用者が媒体口２１から排出されたＩＣカードを取ることにより（ステップ５１５）、一連の動作が終了する。
【００３９】
なお、ステップ５１１において、登録に必要な指静脈パターン画像が全て撮影されていない場合には、ステップ５０９からステップ５１０の動作を繰り返し、登録に必要な全ての指静脈パターン画像を撮影する。そして、指静脈パターン画像の撮影が終了したら、照合用の指静脈パターンの書き込み作業（ステップ５１３からステップ５１５の動作）に入るようになっている。
【００４０】
この実施形態では、表示装置３の表示画面３ａに表示される各画面に、係員が利用者を誘導するガイダンスや、係員の行動に関するガイダンス等を表示するガイダンス表示エリア６１を設けたことに特徴がある。また、利用者に伝えるガイダンスと係員の行動に関するガイダンスとを、ガイダンス表示エリア６１で分けて表示することに特徴がある。具体的には、図６で示すように、利用者に伝えるガイダンスについてはフォーカス６８を当てて目立つようにしている。これにより、係員は利用者をスムーズに誘導することができる。
【００４１】
次に、図７および図８を参照して、第１の実施形態にかかる生体情報読取装置および生体情報読取方法の応用例について説明する。
【００４２】
図７は、第１の実施形態に係る生体情報読取装置における指認証ユニットの動作状態の応用例を示す図であり、図７（ａ）が外観図、図７（ｂ）が水平方向の動作状態を示す図ある。図８は、第１の実施形態に係る認証装置の使用状態の応用例を示す図であり、図８（ａ）が指置き部に置かれた指を水平右方向に動かした状態を示す図、図８（ｂ）が指置き部に置かれた指を水平左方向に動かした状態を示す図である。
【００４３】
図７および図８において、この実施形態では、指認証ユニット３０を上下方向および左右方向への動作に加え、水平方向（矢印Ｃの方向）へ動作させる構成、即ち、指認証ユニット３０を３方向へ回転させることができるような構成に特徴を有している。
【００４４】
具体的には、図７で示すように、指置き部３１は回転軸Ｓを中心として、水平方向（矢印Ｃの方向）へモーター３４を介して回転できるようになっている。そして、図８で示すように、指が置かれた指置き部３１を矢印Ｃの方向、即ち、生体情報読取装置１０の上面に対して水平方向へ回転させることにより、水平左方向および水平右方向に傾いた状態の指静脈パターン画像を撮影する。
【００４５】
このような構成とすることにより、上下方向および左右方向の指静脈パターン画像に加え、水平方向の指静脈パターン画像も照合用の指静脈パターンとして登録することができるので、生体認証時における認証精度を更に向上させることができ、生体認証をスムーズに行うことができる。
【００４６】
なお、図７および図８において、生体情報読取システムおよび生体情報読取装置の構成、および照合用の指静脈パターンの撮影や登録方法等については、上述した図１から図６の説明と同一であるため、詳細な説明は省略する。
以上述べたように、本発明の第１の実施形態では、指置き部３１を駆動装置４０（モーター３４）により複数の方向へ動かすことができる構成に大きな特徴がある。そして、このような構成とすることにより、様々な姿勢における指静脈パターンを照合用の指静脈パターンとして登録することができる。しかも、生体認証時においては、認証用の指静脈パターンを、登録した多数の指静脈パターンと照合することが出きるから、誤差の少ない正確な認証を行うことができる。
（第２の実施の形態）
次に、図９から図１３を参照して、第２の実施形態にかかる生体情報読取装置および生体情報読取方法について説明する。
【００４７】
図９は、第２の実施形態に係る生体情報読取システムの装置ブロック図である。図１０は、第２の実施形態に係る生体情報読取装置における指認証ユニットの動作状態を示す図であり、図１０（ａ）が外観図、図１０（ｂ）が上下方向の動作状態を示す図、図１０（ｃ）が左右方向の動作状態を示す図である。図１１は、第２の実施形態に係る生体情報読取システムの動作フロー図である。図１２は、第２の実施形態に係る生体情報読取システムの動作中の画面を示す図である。
【００４８】
図９において、第２の実施形態に係る指静脈ユニット３０ａは、登録する指を置く指置き部３１と、指置き部３１に置かれた指の静脈パターンを撮影する撮影部３２と、指置き部３１に指が置かれたか否かを検知するセンサ（図示省略）と、撮影部３２で撮影された指静脈パターン画像の画像処理や、画像処理された指静脈パターンの登録、登録された指静脈パターンと認証を行う指静脈パターンとの照合等を行う認証処理部３３と、撮影部３２で撮影された指静脈パターン画像を保存する画像キャプチャーボード３５を備えている。また、撮影部３２は、光学フィルタ３２１と、ＣＣＤカメラ３２２やミラー３２５（図１０参照）等からなる光学ユニット３２７と、指置き部３１に置かれた指に対して、光学フィルタ３２１を介して光を照射する光源３２３とを備えている。
【００４９】
この第２の実施形態に係る生体情報読取システムは、ＣＣＤカメラ３２２やミラー３２５等からなる光学ユニット３２７を上下方向および左右方向へ動かすモーター３４を、指静脈ユニット３０ａに設けた点にある。具体的には、図１０（ｂ）で示すように、上下方向への回転は、回転軸Ｐを中心としてモーター３４により光学ユニット３２７を矢印Ａの方向へ回転するように制御部９で制御される構成となっている。また、図１０（ｃ）で示すように、左右方向への回転は回転軸Ｑを中心としてモーター３４により光学ユニット３２７を矢印Ｂの方向へ回転させるように制御部９で制御される構成となっている。
【００５０】
なお、図９および図１０において、その他の構成については、第１の実施形態と同一であるため、詳細な説明は省略する。
【００５１】
次に、図１１および図１２を参照して、指静脈パターンの登録動作について説明する。図１１において、ステップ５０１からステップ５０５の動作については、第１の実施形態と同一であるため、詳細な説明は省略する。図１１において、係員は表示装置３の表示画面３ａに表示される図１２（ｂ）で示すような撮影操作画面６２ａを見ながら、利用者に対して、複数の指静脈パターン画像を撮影するのでそのまま待つように口頭で伝える（ステップ７０１）。次に、係員は撮影ボタン６６を操作し（ステップ７０２）、指静脈パターン画像の自動撮影を開始する（ステップ７０３）。なお、指静脈パターン画像の撮影中は、表示装置３の表示画面３ａに図１２（ｃ）および図１２（ｄ）で示すような撮影操作画面６２ａが表示されるようになっている。また、撮影操作画面６２ａのガイダンス表示エリア６１には、自動撮影の進捗状況が表示されるようになっている。
【００５２】
ステップ７０４において、指静脈パターン画像の自動撮影が終了すると、係員は表示装置３の表示画面３ａに表示される図１２（ｅ）で示すような撮影終了画面６３ａを見ながら、利用者に対して指静脈パターン画像の自動撮影が終了したことを伝え、利用者に指静脈ユニット３０ａから指を離すように促す（ステップ５１２）。そして、係員は、利用者が指静脈ユニット３０ａから指を離したことを確認すると、照合用の指静脈パターンの登録作業に入る。なお、照合用の指静脈パターンの登録作業については、第１の実施形態におけるステップ５１３からステップ５１５の動作と同一であるため、詳細な説明は省略する。
【００５３】
次に、図１３を参照して、第２の実施形態にかかる生体情報読取装置および生体情報読取方法の応用例について説明する。
【００５４】
図１３は、第２の実施形態に係る生体情報読取装置における指静脈ユニットの動作状態の応用例を示す図であり、図１３（ａ）が外観図、図１３（ｂ）が水平方向の動作状態を示す図ある。
【００５５】
図１３において、この実施形態では、モーター３４により光学ユニット３２７を上下方向および左右方向へ動作させる構成に加え、水平方向（矢印Ｃの方向）へ動作させる構成、即ち、光学ユニット３２７を３方向へ回転させることができるような構成に特徴を有している。具体的には、光学ユニット３２７が回転軸Ｓを中心として、水平方向（矢印Ｃの方向）へモーター３４を介して回転できるようになっている。そして、光学ユニット３２７を水平右方向および水平左方向へ回転させることにより、水平方向の左右に傾いた状態の指静脈パターン画像を撮影する。
【００５６】
これにより、第１の実施形態と同様、上下方向および左右方向の画像に加え、水平方向の指静脈パターン画像も照合用の指静脈パターン画像として登録することができるので、生体認証時における認証精度を更に向上させることができ、生体認証をスムーズに行うことができる。なお、本実施形態において、生体情報読取システムの構成、および照合用の指静脈パターン画像の撮影や登録方法等については、上述した第１の実施形態と同一であるため、詳細な説明は省略する。
【００５７】
以上述べたように、この第２の実施形態では、光学ユニット３２７を駆動装置４０（モーター３４）により複数の方向へ動かすことができる構成に大きな特徴がある。そして、このような構成とすることにより、第１の実施形態と同様、様々な姿勢における指静脈パターンを照合用データとして登録することができる。しかも、この第２の実施形態においては、指静脈ユニット３０の内部に配置された光学ユニットが自動的に動くので、指接触部に指を置いた利用者に対する負担を軽減することができる。
（第３の実施の形態）
次に、図１４から図１６を参照して、第３の実施形態にかかる生体情報読取装置および生体情報読取方法について説明する。
【００５８】
図１４は、第３の実施形態に係る生体情報読取システムの装置ブロック図である。図１５は、第３の実施形態に係る生体情報読取システムの動作フロー図である。図１６は、第３の実施形態に係る生体情報読取システムの動作中の画面を示す図である。なお、本実施形態において、生体情報読取システムの構成については、上述した第１の実施形態と同一であるため、詳細な説明は省略する。
【００５９】
図１４において、第３の実施形態に係る指静脈ユニット３０ｂは、上述した第２の実施形態に係る指静脈ユニット３０ａに、記憶装置２０７と画像コントローラ２０８とを追加したことに特徴がある。具体的には、制御部９から照合用の指静脈パターンの登録処理が指示されると、ＣＰＵ２０２は画像コントローラ２０８を制御して、メモリ２０１および記憶装置２０７に記憶された撮影データの中から、例えば、上下浮きの画像や左右の曲がり画像等を抽出し、複数の照合用の指静脈パターンを、プログラムによる画像編集で生成するようになっている。このような構成とすることにより、撮影された画像から複数の照合用の指静脈パターンを生成するので、指静脈パターンの登録時におけるユーザーの負担を更に軽減させることができる。
【００６０】
次に、図１５および図１６を参照して、指静脈パターンの登録動作について説明する。図１５において、ステップ５０１からステップ５０５の動作については、第１の実施形態と同一であるため、詳細な説明は省略する。図１５において、係員は表示装置３の表示画面３ａに表示された図１６（ｂ）で示すような撮影操作画面６２ｂを見ながら撮影ボタンを操作し（ステップ８０１）、１本目の指静脈パターン画像の撮影を開始する（ステップ８０２）。
【００６１】
ステップ８０３において、１本目の指静脈パターン画像の撮影が終了したら、２本目以降の指静脈パターンの画像が必要かを判断する。判断の結果、２本目以降の指の画像が必要な場合は、ステップ８０１からステップ８０３の動作を、必要な画像の撮影が完了するまで繰り返す。この時、表示装置３の表示画面３ａには、図１６（ｃ）で示すような撮影操作画面６２ｂが表示されるようになっている。
【００６２】
ステップ８０３において、必要な指静脈パターン画像の撮影が完了したら、係員は利用者に対して指静脈パターン画像の撮影が終了したことを伝え、利用者に指静脈ユニット３０ｂから指を離すように促す（ステップ８０４）。この時、表示装置３の表示画面３ａには、図１６（ｄ）で示すような登録処理開始画面６７が表示されており、係員は、利用者が指静脈ユニット３０ｂから指を離したことを確認すると、登録処理開始ボタン７０を操作して多パターン画像の自動生成を開始する（ステップ８０６）。そして、多パターン画像の生成が終了すると、登録の準備ができたことを利用者に伝える（ステップ８０７）。この時、表示装置３の表示画面３ａには、図１６（ｅ）で示すような書き込み開始画面６９が表示され、係員が書き込みボタン６４を操作することにより、照合用の指静脈パターンの書き込み作業に入る。なお、書き込み作業については、第１の実施形態におけるステップ５１３からステップ５１５の動作と同一であるため、詳細な説明は省略する。
【００６３】
以上のように、この第３の実施形態では、１つの撮影データから複数の照合用の指静脈パターン、即ち、認証エラーが発生する可能性のある指静脈パターンを自動的に生成して登録するので、利用者が指静脈ユニットに指を置いておく時間を短くすることができ、生体情報の登録時における利用者の負担を更に軽減することができる。
【図面の簡単な説明】
【００６４】
【図１】本発明の第１の実施形態にかかる生体情報読取システム全体を示すシステム構成図である。
【図２】本発明の第１の実施形態に係る生体情報読取システムの装置ブロック図である。
【図３】本発明の第１の実施形態に係る生体情報読取装置における指静脈ユニットの動作状態を示す図である。
【図４】本発明の第１の実施形態に係る生体情報読取装置の使用状態を示す図である。
【図５】本発明の第１の実施形態に係る生体情報読取システムの動作フロー図である。
【図６】本発明の第１の実施形態に係る生体情報読取システムの動作中の画面を示す図である。
【図７】本発明の第１の実施形態に係る生体情報読取装置における指静脈ユニットの動作状態の応用例を示す図である。
【図８】本発明の第１の実施形態に係る生体情報読取装置の使用状態の応用例を示す図である。
【図９】本発明の第２の実施形態に係る生体情報読取システムの装置ブロック図である。
【図１０】本発明の第２の実施形態に係る生体情報読取装置における光学ユニットの動作状態を示す図である。
【図１１】本発明の第２の実施形態に係る生体情報読取システムの動作フロー図である。
【図１２】本発明の第２の実施形態に係る生体情報読取システムの動作中の画面を示す図である。
【図１３】本発明の第２の実施形態に係る生体情報読取装置における指静脈ユニットの動作状態の応用例を示す図である。
【図１４】本発明の第３の実施形態に係る生体情報読取システムの装置ブロック図である。
【図１５】本発明の第３の実施形態に係る生体情報読取システムの動作フロー図である。
【図１６】本発明の第３の実施形態に係る生体情報読取システムの動作中の画面を示す図である。
【図１７】従来の生体情報読取装置における生体情報の登録姿勢を示す図である。
【図１８】従来の生体情報読取装置における生体情報の認証姿勢を示す図である。
【図１９】自動取引装置の設置状態を示す図である。
【符号の説明】
【００６５】
１…情報処理装置、２…情報処理装置本体、３…表示装置、３ａ…表示画面、４…入力装置、４ａ…キーボード、４ｂ…マウス、６…記憶部、７…通信部、９…制御部、１０…生体認証装置、２０…認証装置本体、２１…媒体口、２２…テンキーカバー、２３…カメラ部、３０…指静脈ユニット、３１…指置き部、３２…撮影部、３３…認証処理部、３４…モーター、３５…画像キャプチャーボード、４０…駆動装置、５０…カードリーダ／ライタ、６０…指登録画面、６１…ガイダンス表示エリア、６２…撮影操作画面、６３…撮影終了画面、６４…カード書き込みボタン、６５…終了画面、６６…撮影ボタン、６７…登録処理開始画面、６８…フォーカス、７０…登録処理開始ボタン、２０１…メモリ、２０２…ＣＰＵ、２０３…インタフェース、２０７…記憶装置、２０８…画像コントローラ、２１０…外部記憶装置、２５０…インタフェース、３２１…光学フィルタ、３２２…ＣＣＤカメラ、３２３…光源、３２５…ミラー、３２７…光学ユニット。
【図１】
2008250601.tif 000003
【図２】
2008250601.tif 000004
【図３】
2008250601.tif 000005
【図４】
2008250601.tif 000006
【図５】
2008250601.tif 000007
【図６】
2008250601.tif 000008
【図７】
2008250601.tif 000009
【図８】
2008250601.tif 000010
【図９】
2008250601.tif 000011
【図１０】
2008250601.tif 000012
【図１１】
2008250601.tif 000013
【図１２】
2008250601.tif 000014
【図１３】
2008250601.tif 000015
【図１４】
2008250601.tif 000016
【図１５】
2008250601.tif 000017
【図１６】
2008250601.tif 000018
【図１７】
2008250601.tif 000019
【図１８】
2008250601.tif 000020
【図１９】
2008250601.tif 000021